(57)【要約】【課題】  透光性樹脂を用いた透過型キーシートにおいて、全体厚の薄さを確保し且つ光透過率の減少を抑え、効率よい照射発光を行う。【解決手段】  入力キースイッチ１１における透過型キーシート１は、キーシートユニット１Ａ及び１Ｂをキートップ２及び押し子４の成形面と反対の面同士にて透光性接着剤で貼り合わせてなる。キーシートユニット１Ａは、下面に文字印刷した透光性樹脂フィルム３上に透光性樹脂製のキートップ２を一体化成形したもの、キーシートユニット１Ｂは透光性樹脂フィルム５に透光性樹脂製の押し子４を一体化成形したものである。基板７上の光源９からの光は、押し子４、透光性樹脂フィルム５及び３、キートップ２を通し、キーシートユニット１Ａ下面の文字等を外部に視認させキー照明となる。キートップ２の押下操作で押し子４を介しキースイッチ１０が押されて凹み、基板７上の電極１３と接触してキー入力が行われる。【選択図】      図６
2005285754.tif 000002
【特許請求の範囲】
【請求項１】
第１の樹脂フィルム上に透光性樹脂からなるキートップを成形した第１のキーシートユニットと、前記第１のキーシートユニットの前記キートップの位置に対応して第２の樹脂フィルム上に透光性樹脂からなる押し子を成形した第２のキーシートユニットとを備え、前記第１のキーシートユニットの前記キートップ成形面の反対面と前記第２のキーシートユニットの前記押し子成形面の反対面とを前記キートップ及び前記押し子の位置が対応するように接着剤にて貼り合わせてなることを特徴とする透過型キーシート。
【請求項２】
前記第１及び第２の樹脂フィルムが透光性を有することを特徴とする請求項１記載の透過型キーシート。
【請求項３】
前記接着剤が透光性接着剤であることを特徴とする請求項１または２に記載の透過型キーシート。
【請求項４】
前記第１の樹脂フィルムの前記キートップ成形面の反対面もしくは前記第２の樹脂フィルムの前記押し子成形面の反対面における前記キートップ及び前記押し子に対応する位置に印刷された文字あるいは絵柄を有することを特徴とする請求項１ないし３のいずれかに記載の透過型キーシート。
【請求項５】
前記第１の樹脂フィルムの前記キートップ成形面の反対面もしくは前記第２の樹脂フィルムの前記押し子成形面の反対面における前記キートップ及び前記押し子を避ける位置に印刷された反射材を有することを特徴とする請求項１ないし４のいずれかに記載の透過型キーシート。
【請求項６】
前記反射材がミラーインクもしくはミラー箔を印刷してなることを特徴とする請求項５記載の透過型キーシート。
【請求項７】
前記第１の樹脂フィルムの前記キートップ成形面の反対面もしくは前記第２の樹脂フィルムの前記押し子成形面の反対面における前記キートップ及び前記押し子を避ける位置に印刷された照明隠蔽材を有することを特徴とする請求項１ないし４のいずれかに記載の透過型キーシート。
【請求項８】
前記第１の樹脂フィルムの前記キートップ成形面の反対面もしくは前記第２の樹脂フィルムの前記押し子成形面の反対面における前記キートップ及び前記押し子を避ける位置に印刷された蓄光性塗料を有することを特徴とする請求項１ないし４のいずれかに記載の透過型キーシート。
【請求項９】
前記第１の樹脂フィルムの前記キートップ成形面の反対面もしくは前記第２の樹脂フィルムの前記押し子成形面の反対面における前記キートップ及び前記押し子に対応する位置に彩色を施してなることを特徴とする請求項１ないし８のいずれかに記載の透過型キーシート。
【請求項１０】
前記第１及び第２の樹脂フィルムならびに前記キートップ及び前記押し子をなす前記透光性樹脂の少なくとも一つの材料にブラックライトに反応して発光する蓄光材を添加してなることを特徴とする請求項１ないし４のいずれかまたは請求項９に記載の透過型キーシート。
【請求項１１】
前記第１のキーシートユニット及び前記第２のキーシートユニットの種類をそれぞれ複数種類備え、前記第１のキーシートユニットの種類と前記第２のキーシートユニットの種類を適宜組み合わせてなることを特徴とする請求項１ないし１０のいずれかに記載の透過型キーシート。
【請求項１２】
請求項１ないし１１のいずれかに記載の透過型キーシートと、前記透過型キーシートを前記キートップが外部に露出するように実装する筐体と、前記筐体内に設けられた回路基板と、前記回路基板上に前記キートップと相対する位置に設けられ前記キートップの押下操作により前記押し子を介して押されるキースイッチと、前記回路基板上に前記キースイッチと相対して設けられ前記押下操作により押される前記キースイッチと接触して電気信号を出力する電極と、前記回路基板上の前記透過型キーシートとの間隙空間に設けられ発光して前記透過型キーシートを透過して外部にキー照明を行う光源とを備えることを特徴とする透過型キーシートを用いた入力キースイッチ。
【請求項１３】
請求項１２記載の透過型キーシートを用いた入力キースイッチを備えることを特徴とする電子機器。
【発明の詳細な説明】
【技術分野】
【０００１】
本発明は携帯電話や自動車電話などの各種移動通信機器あるいは各種端末機器などの電子機器において、キートップが透光性樹脂からなる入力キースイッチに用いられる透過型キーシート、およびこれを用いた入力キースイッチに関する。
【背景技術】
【０００２】
従来、各種移動通信機器や各種端末機器などの電子機器における入力キー機構の入力キースイッチに、透光性樹脂からなるキートップを用いる技術はよく知られている。
【０００３】
このような透光性樹脂からなるキートップを用いた入力キースイッチには２つの形式がある。第１の形式は押し子にシリコンラバーを用いたものであり、他の形式はキートップとフィルムを一体化したもの（下記、特許文献１による）である。
【０００４】
従来の第１の形式の入力キースイッチを図１１に示す。図１１に示すように入力キースイッチ３１は、透光性樹脂からなるキートップ３２を透光性接着剤を介しキーパッド３３の上面に貼り合わせてなる。キーパッド３３は透光性を有するシリコンのラバーシートからなり、キートップ３２と相対する位置に突出成形した押し子３３ａを有する。入力キースイッチ３１はキートップ３２が外部に露出するように筐体３８に実装される。筐体３８内の補強板３５上の基板３４には押し子３３ａと相対するキースイッチ３７があり、キートップ３２の押下により押し子３３ａを介してキースイッチ３７が押され、基板３４上の図示しない電極と接触してキー入力が行われる。基板３４上の光源３６からの光は透光性のキーパッド３３を通し、キートップ３２の下面に印刷された文字等をキートップ３２を透過させて外部に視認させ、キー照明となる。
【０００５】
しかしこの構成の場合、押し子３３ａを成形したシリコンラバーのキーパッド３３をキートップ３２に接着しているため、厚みの増加は避けられない問題である。また透光性を有すると言ってもシリコンラバーは乳白色等を呈するので、輝度低下による透過率の減少が問題となる
このような問題を解消するものとして、従来のキートップとフィルムを一体化した技術が考案され、その一例が特許文献１に開示されている。
【０００６】
【特許文献１】特開２００３−２１７３９６号公報（段落００４９、００５０、図１）  特許文献１によると図１２に示すように、キーシート４１は、厚み５０〜２５０μｍで凸状に形成された樹脂フィルム４３の裏側に樹脂部材からなるキートップ４２を一体化したものであり、キートップ４２にはさらに押し子４２ａが突出成形されている。
【発明の開示】
【発明が解決しようとする課題】
【０００７】
上述した特許文献１の技術によれば、押し子にシリコンラバーを用いた従来の第１の形式のものに比し、厚みの増加は解消される。しかし特許文献１のようなフィルム一体キーの場合、キートップに押し子が成形されるため、文字印刷はキートップ上面となり且つ指等が触れないよう、キートップ上に印刷を施したフィルムを被せざるを得ない。従って、キーシート全体の光透過率の減少が生じるという問題がある。また、予め印刷を施したフィルムを要するので、印刷内容や化粧内容に制限が生じるという問題もある。
【０００８】
本発明の目的は、透光性樹脂と樹脂フィルムを組み合わせてキーシート全体の薄さを確保し且つ光透過率の減少を抑えて上記従来の問題点を解消し、さらに樹脂フィルムへの新たな追加処置により種々の新たな効果を発揮させ、もって小型装置にて入力キースイッチを小面積に数多く配置し、少ない光源光量で効率のよい照射発光が行える透過型キーシートおよびこれを用いた入力キースイッチならびに電子機器を提供するものである。
【課題を解決するための手段】
【０００９】
本発明の請求項１に係わる透過型キーシートは、第１の樹脂フィルム上に透光性樹脂からなるキートップを成形した第１のキーシートユニットと、前記第１のキーシートユニットの前記キートップの位置に対応して第２の樹脂フィルム上に透光性樹脂からなる押し子を成形した第２のキーシートユニットとを備え、前記第１のキーシートユニットの前記キートップ成形面の反対面と前記第２のキーシートユニットの前記押し子成形面の反対面とを前記キートップ及び前記押し子の位置が対応するように接着剤にて貼り合わせてなることを特徴とする。
【００１０】
本発明の請求項２に係わる透過型キーシートは、前記第１及び第２の樹脂フィルムが透光性を有することを特徴とする。
【００１１】
本発明の請求項３に係わる透過型キーシートは、前記接着剤が透光性接着剤であることを特徴とする。
【００１２】
本発明の請求項４に係わる透過型キーシートは、前記第１の樹脂フィルムの前記キートップ成形面の反対面もしくは前記第２の樹脂フィルムの前記押し子成形面の反対面における前記キートップ及び前記押し子に対応する位置に印刷された文字あるいは絵柄を有することことを特徴とする。
【００１３】
本発明の請求項５に係わる透過型キーシートは、前記第１の樹脂フィルムの前記キートップ成形面の反対面もしくは前記第２の樹脂フィルムの前記押し子成形面の反対面における前記キートップ及び前記押し子を避ける位置に印刷された反射材を有することを特徴とする。
【００１４】
本発明の請求項６に係わる透過型キーシートは、前記反射材がミラーインクもしくはミラー箔を印刷してなることを特徴とする。
【００１５】
本発明の請求項７に係わる透過型キーシートは、前記第１の樹脂フィルムの前記キートップ成形面の反対面もしくは前記第２の樹脂フィルムの前記押し子成形面の反対面における前記キートップ及び前記押し子を避ける位置に印刷された照明隠蔽材を有することを特徴とする。
【００１６】
本発明の請求項８に係わる透過型キーシートは、前記第１の樹脂フィルムの前記キートップ成形面の反対面もしくは前記第２の樹脂フィルムの前記押し子成形面の反対面における前記キートップ及び前記押し子を避ける位置に印刷された蓄光性塗料を有することを特徴とする。
【００１７】
本発明の請求項９に係わる透過型キーシートは、前記第１の樹脂フィルムの前記キートップ成形面の反対面もしくは前記第２の樹脂フィルムの前記押し子成形面の反対面における前記キートップ及び前記押し子に対応する位置に彩色を施してなることを特徴とする。
【００１８】
本発明の請求項１０に係わる透過型キーシートは、前記第１及び第２の樹脂フィルムならびに前記キートップ及び前記押し子をなす前記透光性樹脂の少なくとも一つの材料にブラックライトに反応して発光する蓄光材を添加してなることを特徴とする。
【００１９】
本発明の請求項１１に係わる透過型キーシートは、前記第１のキーシートユニット及び前記第２のキーシートユニットの種類をそれぞれ複数種類備え、前記第１のキーシートユニットの種類と前記第２のキーシートユニットの種類を適宜組み合わせてなることを特徴とする。
【００２０】
本発明の請求項１２に係わる透過型キーシートを用いた入力キースイッチは、上述した請求項１ないし１１のいずれかに記載の透過型キーシートと、前記透過型キーシートを前記キートップが外部に露出するように実装する筐体と、前記筐体内に設けられた回路基板と、前記回路基板上に前記キートップと相対する位置に設けられ前記キートップの押下操作により前記押し子を介して押されるキースイッチと、前記回路基板上に前記キースイッチと相対して設けられ前記押下操作により押される前記キースイッチと接触して電気信号を出力する電極と、前記回路基板上の前記透過型キーシートとの間隙空間に設けられ発光して前記透過型キーシートを透過して外部にキー照明を行う光源とを備えることを特徴とする。
【００２１】
本発明の請求項１３に係わる入力キースイッチを用いた電子機器は、上述した請求項１２に記載の透過型キーシートを用いた入力キースイッチを備えることを特徴とする。
【発明の効果】
【００２２】
第１の効果は、キーシート全体の薄さを確保できることである。
【００２３】
その理由は、下面に文字印刷したキートップ側の樹脂フィルムと押し子側の樹脂フィルムとに分けて成形したものを貼り合わせて透過型キーシートを構成したためである。
【００２４】
第２の効果は、光透過性の減少が防止できることである。
【００２５】
その理由は、従来のシリコンゴムラバーでは色が乳白のため輝度低下があったのに対し、本発明ではキートップ及び押し子として用いる部材ならびにこれらを成形するフィルム部材の全てに透光性樹脂を用いたためである。
【発明を実施するための最良の形態】
【００２６】
次に、本発明について図面を参照して説明する。
【００２７】
図１は本発明の第１の実施の形態の透過型キーシートを示す断面図であり、図２及び図３はこの透過型キーシートの構成要素である２つのキーシートユニット（第１及び第２のキーシートユニット）をそれぞれ示す詳細図、図４は２つのキーシートユニットを貼り合わせる状態を示す断面図、図５はキーシートユニットの一方（第２のキーシートユニット）に反射材を印刷した場合を示す平面図、図６は第１の実施の形態の透過型キーシートを用いた入力キースイッチの断面図である。
【００２８】
第１の実施の形態の透過型キーシート１は、図１に示すように、キーシートユニット１Ａとキーシートユニット１Ｂとを透光性接着剤６を用いて互いに貼り合わせて形成される。
【００２９】
キーシートユニット１Ａは、透光性を有する樹脂フィルムである透光性樹脂フィルム３の上に透光性樹脂からなるキートップ２をインモールド成形により一体化成形したものである。同様にキーシートユニット１Ｂは、透光性を有する樹脂フィルムである透光性樹脂フィルム５に透光性樹脂からなる押し子４をインモールド成形により一体化成形したものである。なお、透光性樹脂フィルムとしてはＰＥＴ（ポリエチレンテレフタレート）等が使用でき、また透光性樹脂としてはポリカーボネート樹脂、透明アクリル樹脂、透明ＡＢＳ樹脂、ＰＭＭ（ポリメタクリル酸メチル）等が使用できる。
【００３０】
なお、この第１の実施の形態及び以下に説明する各実施の形態において、透光性樹脂フィルムと記載する構成要素は、所定の光透過率を有するものであれば、単なる樹脂フィルムであってもよいものとする。
【００３１】
図２にキーシートユニット１Ａの構成が詳細に示されている。図２（ａ）はキーシートユニット１Ａの平面図、（ｂ）は長手方向の側面図、（ｃ）は（ａ）のア−ア線における断面図、（ｄ）は短手方向の側面図、（ｅ）は（ａ）のイ−イ線における断面図、（ｆ）は裏面平面図である。
【００３２】
図２に示すように、長方形の透光性樹脂フィルム３の上に、透光性樹脂からなる複数のキートップ２がインモールド成形により一体化成形で搭載され、等間隔にて整然と配列されてキーシートユニット１Ａを構成している。同図（ｆ）のごとく、透光性樹脂フィルム３の裏面には等間隔配列の複数のキートップ２の対応箇所以外の部分に透光性接着剤６が塗布される。なお、透光性樹脂フィルム３の裏面の周囲に透光性接着剤からなる溶着面６ａが設けられてもよい。
【００３３】
図３にキーシートユニット１Ｂの構成が詳細に示されている。図３（ａ）はキーシートユニット１Ｂの平面図、（ｂ）は長手方向の側面図、（ｃ）は（ａ）のウ−ウ線における断面図、（ｄ）は短手方向の側面図、（ｅ）は（ａ）のエ−エ線における断面図、（ｆ）は裏面平面図である。
【００３４】
図３に示すように、長方形の透光性樹脂フィルム５に、透光性樹脂からなる複数の押し子４がインモールド成形により一体化成形で搭載され、等間隔にて整然と配列されてキーシートユニット１Ｂを構成している。押し子４の配列は、図２にて示したキートップ２の配列と個数、間隔とも同じで、キートップ２と対応する配列である。同図（ｆ）のごとく、透光性樹脂フィルム５には等間隔配列の複数の押し子４の対応箇所以外の部分に透光性接着剤６が塗布される。また透光性樹脂フィルム５の周囲に透光性接着剤からなる溶着面６ａが設けられてもよい。なお、透光性接着剤６及び溶着面６ａが設けられるのは実際には透光性樹脂フィルム５の表面側である。また同図（ａ）に示す斜線部は、後述する反射材、照明隠蔽材、蓄光性塗料などが印刷できる範囲である。
【００３５】
以上のような構成のキーシートユニット１Ａとキーシートユニット１Ｂを、図４に示すように貼り合わせて合体する。即ち、キーシートユニット１Ａのキートップ成形面の反対面とキーシートユニット１Ｂの押し子成形面の反対面とを、それぞれの複数のキートップ２と複数の押し子４とがちょうど位置的に対応するようにし、透光性接着剤６を用いて貼り合わせる。このようにキーシートユニット同士を貼り合わせ固定することにより、キー操作時にキートップ２の中心と押し子４の中心がその都度ずれてしまうのを防止することができる。
【００３６】
なお上述した例では、透光性接着剤６の塗布がキートップ２及び押し子４の対応箇所以外の部分に行うとしたが、接着剤の透光性と透明性が完全であれば、さらに広い部分に塗布して接着性を向上させるようにしてもよい。
【００３７】
上述した透光性樹脂および透光性樹脂フィルムからなるキーシートユニット１Ａの下面には、キー表示に必要な様々な文字あるいは絵柄を印刷することができる。従来、透光性樹脂からなるキートップの下面に文字を印刷しようとすると、押し子が成形できなくなるために別途押し子成形用のシリコンラバーシートが必要となり、従って厚みが増加する要因となり、また光透過性の減少が避けられなかった。しかしこの実施の形態の透過型キーシート１では、キーシートユニット１Ａの透光性樹脂フィルム３の平滑な下面にキートップ２と対応する位置に文字印刷（図２（ｆ）に示す文字３ａ）あるいは絵柄印刷（図２（ｆ）に示す絵柄３ｂ）を可能とする。また押し子４はキーシートユニット１Ｂ側の透光性樹脂フィルム５に成形するので、キーシート全体の薄さが確保でき且つ光透過性の減少も避けられる。なお印刷する文字や絵柄は、キートップ２をインモールド成形する前に透光性樹脂フィルム３の下面に印刷しておくものとする。
【００３８】
図５に示すように、この第１の実施の形態ではキーシートユニットの一方に反射材を印刷することができる。図５の例では、キーシートユニット１Ｂの透光性樹脂フィルム５の押し子４の反対面に、押し子４の部分を避けるようにして斜線で示すような反射材、具体的にはミラーインク（またはミラー箔）２１あるいは白等の反射率の高い反射材を印刷している。なお、この反射材の印刷は、図２に示したキーシートユニット１Ａに対してキートップ２の反対面にキートップ２の部分を避けるように施してもよい。
【００３９】
図６に上述した第１の実施の形態の透過型キーシートを用いた入力キースイッチの構成を示す。
【００４０】
この入力キースイッチ１１は、各種移動通信機器や各種端末機器における入力キー機構の操作部において、上述したような透過型キーシート１と、この透過型キーシート１を透光性樹脂からなるキートップ２が外部に露出するようにして実装する筐体１２と、筐体１２内に設けられた基板７と、基板７を支持する補強板８と、基板７上にキートップ２と相対する位置に設けられた凸状の導電性ばね板からなるキースイッチ１０と、キースイッチ１０の下の基板７上に設けられた電極１３と、基板７上の透過型キーシート１との間隙空間に配置された光源９とを備えて構成される。なお透過型キーシート１のキーシートユニット１Ｂには、上述したような反射材（図５のミラーインク２１）が印刷されているものとする。
【００４１】
このような構成の入力キースイッチ１１において、透過型キーシート１のキートップ２が押下操作されると、押し子４を介しキースイッチ１０が押されて凹み、基板７上の電極１３と接触してキー入力が行われる。基板７上の光源９からの光は、透光性の押し子４、透光性樹脂フィルム５及び３、透光性のキートップ２を通し、透光性樹脂フィルム３の下面に印刷された文字や絵柄等をキートップ２を透過させて外部に視認させ、キー照明となる。このとき、キーシートユニット１Ｂには反射材が印刷されているため、光源９からの光は反射材により反射が促進され、照明輝度を増幅した形で間隙空間内を満たし、光源９の光を余すことなく透過型キーシート１を介して外部にキー照明として発することができる。従って、少ない光源光量で効率のよい照射発光を行うことができる。なおキーシートユニット１Ｂに代わって、反射材の印刷をキーシートユニット１Ａのキートップ２の反対面にキートップ２の部分を避けるように施したものを用いてもよい。
【００４２】
次に、上述した入力キースイッチ１１の構成におけるキーシートユニット１Ａ及びキーシートユニット１Ｂの他の実施の形態について説明する。ここでは簡便のために、キーシートユニット１Ｂ（請求項１における第２のキーシートユニットに相当）の他の実施の形態について説明する。
【００４３】
図７及び図８は第２のキーシートユニットの第２及び第３の実施の形態を示す図であり、それぞれ（ａ）は平面図、（ｂ）は側断面図である。
【００４４】
図７に示すように、第２の実施の形態のキーシートユニット１Ｃは、透光性樹脂フィルム５の等間隔配列で成形された複数の押し子４の反対面に、押し子４を避ける位置に照明隠蔽材２２が印刷される。照明隠蔽材２２としては、黒等の隠蔽力が高く反射率の低い色が用いられる。このようなキーシートユニット１Ｃを図６に示す入力キースイッチ１１のキーシートユニット１Ｂに代わって用いることにより、照明隠蔽材２２によって不要な部分から光が外部に漏れるのを防ぐことができる。また照明隠蔽材２２によって、光源９からの光がキートップ２から直接出てこないよう、光源９を配置した部分を隠蔽することもできる。
【００４５】
図８に示すように、第３の実施の形態のキーシートユニット１Ｄは、透光性樹脂フィルム５の等間隔配列で成形された複数の押し子４の反対面に、押し子４を避ける位置に蓄光性塗料２３が印刷される。このようなキーシートユニット１Ｄを図６に示す入力キースイッチ１１のキーシートユニット１Ｂに代わって用いることにより、光源９から出た光を蓄光性塗料２３によって蓄積し、光源９が切れた後も発光することができ、補助的な照明として利用できる。
【００４６】
図９は第２のキーシートユニットの第４の実施の形態を示す図であり、（ａ）は平面図、（ｂ）は側断面図である。
【００４７】
図９に示すように、第４の実施の形態のキーシートユニット１Ｅは、透光性樹脂フィルム５の等間隔配列で成形された複数の押し子４の反対面に、押し子４と対応する位置に絵柄２４を印刷してなる。絵柄２４は、複数の押し子４に対応する位置ごとに絵柄内容を変えることができる。このようなキーシートユニット１Ｅを図６に示す入力キースイッチ１１のキーシートユニット１Ｂに代わって用いることにより、それぞれの絵柄２４が光源９の光で押し子４を通して照明され、さらにキーシートユニット１Ａを通しキートップ２の表面から外部にて視認できる。このように入力キースイッチ１１のそれぞれのキートップ２において、それぞれが必要とする絵柄をキー表示として視認することができる。なおこの場合、絵柄２４に代わって文字を印刷するようにしてもよい。
【００４８】
この第４の実施の形態のキーシートユニット１Ｅには、上述した第1ないし第３の実施の形態における反射材、照明隠蔽材、蓄光性塗料の印刷のいずれかを組み合せて施してもよい。
【００４９】
また第４の実施の形態のキーシートユニット１Ｅに施す絵柄２４や文字は、上述した第１の実施の形態におけるキーシートユニット１Ａの文字３ａや絵柄３ｂと重複しないようにする必要がある。即ち２つのキーシートユニットにおいて、いずれか一方に文字を印刷し、他方に絵柄を印刷するようにする。
【００５０】
図１０は第２のキーシートユニットの第５の実施の形態を示す図であり、（ａ）は平面図、（ｂ）は側断面図である。
【００５１】
図１０に示すように、第５の実施の形態のキーシートユニット１Ｆは、透光性樹脂フィルム５の等間隔配列で成形された複数の押し子４の反対面に、押し子４と対応する位置に彩色２５を印刷してなる。彩色２５は、複数の押し子４に対応する位置ごとに色の内容を変えることができ、彩色の自由度が得られる。このようなキーシートユニット１Ｆを図６に示す入力キースイッチ１１のキーシートユニット１Ｂに代わって用いることにより、それぞれの彩色２５の色が光源９の光で押し子４を通して照明され、さらにキーシートユニット１Ａを通しキートップ２の表面から外部にて視認できる。このように入力キースイッチ１１のそれぞれのキートップ２において、それぞれが必要とする色をキー表示として視認することができる。
【００５２】
なおこの第５の実施の形態のキーシートユニット１Ｆには、上述した第1ないし第３の実施の形態における反射材、照明隠蔽材、蓄光性塗料の印刷のいずれかを組み合せて施してもよい。
【００５３】
また上述した第１ないし第５の実施の形態のキーシートユニットは、請求項１における第２のキーシートユニットに対して反射材、照明隠蔽材、蓄光性塗料、絵柄、彩色などの印刷を施した場合について説明したが、これらの印刷は請求項１における第１のキーシートユニット、即ち図２に示したキーシートユニット１Ａのキートップ２成形面の反対面に施すこともできる。
【００５４】
次に、本発明の第６の実施の形態について説明する。第６の実施の形態はキーシートユニットに蓄光材を添加するものである。
【００５５】
第６の実施の形態としては特に図示はしないが、上述したような第１及び第２のキーシートユニットの図２に示すキーシートユニット１Ａのキートップ２あるいは透光性樹脂フィルム３、または図３に示すキーシートユニット１Ｂの押し子４あるいは透光性樹脂フィルム５の材料に、ブラックライトに反応して発光する蓄光材を添加・混練する。
【００５６】
このようなブラックライトを添加したキーシートユニットを有する入力キースイッチ１１にブラックライトが当たると、蓄光材がブラックライトに反応して発光し、キートップ２が光って見やすくなり、またキートップ部全体の装飾性が一段と向上する。
【００５７】
次に、本発明の第７の実施の形態について説明する。第７の実施の形態は請求項１における第１及び第２のキーシートユニットの種類をそれぞれ複数種類備え、これらを適宜組み合わせて透過型キーシートとするものである。
【００５８】
図１ないし図３を参照して説明すると、透過型キーシート１を構成するキーシートユニット１Ａ及びキーシートユニット１Ｂをそれぞれ複数種類用意する。これらキーシートユニットの種類を増やすとは、例えばキートップ２の高さの違うキーシートユニット１Ａや押し子４の高さの違うキーシートユニット１Ｂをそれぞれ複数種類用意すること、あるいは同じキーピッチでキートップ２や上述した各種印刷のデザインの違うものを複数種類用意することを意味する。
【００５９】
これら複数種類のキーシートユニット１Ａ、１Ｂを適宜組み合わせることにより、例えばクリック感は同じであるがキートップ２の高さが違うことで操作性を変えることができたり、あるいはキートップ２の高さは同じであるが押し子４の高さが違うことでクリック感を変えることができたりする。このようにして、操作者の所望する操作性に適した様々な透過型キーシート１を得ることができる。またデザインの違うものを適宜組み合わせることにより、透過型キーシート１の化粧面の変更が容易に行える。
【図面の簡単な説明】
【００６０】
【図１】本発明の第１の実施の形態の透過型キーシートを示す断面図である。
【図２】第１の実施の形態の透過型キーシートの要素であるキーシートユニット１Ａの構成を示す図で、（ａ）はキーシートユニット１Ａの平面図、（ｂ）は長手方向の側面図、（ｃ）は（ａ）のア−ア線における断面図、（ｄ）は短手方向の側面図、（ｅ）は（ａ）のイ−イ線における断面図、（ｆ）は裏面平面図である。
【図３】第１の実施の形態の透過型キーシートの要素であるキーシートユニット１Ｂの構成を示す図で、（ａ）はキーシートユニット１Ｂの平面図、（ｂ）は長手方向の側面図、（ｃ）は（ａ）のウ−ウ線における断面図、（ｄ）は短手方向の側面図、（ｅ）は（ａ）のエ−エ線における断面図、（ｆ）は裏面平面図である。
【図４】キーシートユニット１Ａ及び１Ｂを貼り合わせる状態を示す断面図である。
【図５】第１の実施の形態のキーシートユニットの一方（キーシートユニット１Ｂ）に反射材を印刷した場合を示す平面図である。
【図６】第１の実施の形態の透過型キーシートを用いた入力キースイッチの断面図である。
【図７】キーシートユニットの第２の実施の形態を示す図で、（ａ）は平面図、（ｂ）は側断面図である。
【図８】キーシートユニットの第３の実施の形態を示す図で、（ａ）は平面図、（ｂ）は側断面図である。
【図９】キーシートユニットの第４の実施の形態を示す図で、（ａ）は平面図、（ｂ）は側断面図である。
【図１０】キーシートユニットの第５の実施の形態を示す図で、（ａ）は平面図、（ｂ）は側断面図である。
【図１１】従来の入力キースイッチの一例の構成を示す断面図である。
【図１２】従来のキートップとフィルムを一体化したキーシートの一例の構成を示す断面図である。
【符号の説明】
【００６１】
１    透過型キーシート
１Ａ、１Ｂ、１Ｃ、１Ｄ、１Ｅ、１Ｆ    キーシートユニット
２、３２、４２    キートップ
３、５    透光性樹脂フィルム
３ａ    文字
３ｂ    絵柄
４、３３ａ、４２ａ    押し子
６    透光性接着剤
６ａ    溶着面
７、３４    基板
８、３５    補強板
９、３６    光源
１０、３７    キースイッチ
１１、３１    入力キースイッチ
１２、３８    筐体
１３    電極
２１    ミラーインク（またはミラー箔）
２２    照明隠蔽材
２３    蓄光性塗料
２４    絵柄
２５    彩色
３３    キーパッド
４３    樹脂フィルム
【図１】
2005285754.tif 000003
【図２】
2005285754.tif 000004
【図３】
2005285754.tif 000005
【図４】
2005285754.tif 000006
【図５】
2005285754.tif 000007
【図６】
2005285754.tif 000008
【図７】
2005285754.tif 000009
【図８】
2005285754.tif 000010
【図９】
2005285754.tif 000011
【図１０】
2005285754.tif 000012
【図１１】
2005285754.tif 000013
【図１２】
2005285754.tif 000014